【手続補正書】
【提出日】平成27年4月9日(2015.4.9)
【手続補正１】
【補正対象書類名】明細書
【補正対象項目名】０００８
【補正方法】変更
【補正の内容】
【０００８】
そのために本発明は、インクジェット記録装置において、複数の記録ヘッドを有した記録ヘッドユニットであって、前記複数の記録ヘッドそれぞれには、列方向に配列した、記録媒体上にインクによる第１のサイズのドットを形成するための第１のノズルによって形成される第１のノズル列と、前記列方向に配列した、記録媒体上にインクによる第２のサイズのドットを形成するための第２のノズルによって形成される第２のノズル列と、が設けられ、前記第２のサイズは前記第１のサイズとは異なり、かつ前記第２のサイズのドットの色は前記第１のサイズのドットの色と同じであり、それぞれの複数の前記第１および第２のノズル列は前記列方向に交差する方向に配列し、異なる前記記録ヘッドは前記列方向にずれるように配列して、当該異なる記録ヘッドの前記複数の第１および第２のノズル列のそれぞれの一部が記録媒体の重複記録領域をそれぞれ記録する、記録ヘッドユニットと、前記重複記録領域の１つにおける所定領域の、記録ヘッドに設けられた前記第１のノズル列の１つによるドット記録によって形成されるべき画素を決定し、および前記所定領域の、同じ記録ヘッドに設けられた前記第２のノズル列の１つによるドット記録によって形成されるべき他の画素を決定する第１決定手段と、前記重複記録領域を有する第１および第２の記録ヘッドそれぞれの前記第１および第２のノズル列のそれぞれの一部によって前記所定領域を記録するため、前記第１の記録ヘッドの前記第１および第２のノズル列の第１の組みによるドット記録によって形成されるべき画素を決定し、および前記第２の記録ヘッドの前記第１および第２のノズル列の第２の組みによるドット記録によって形成されるべき画素を決定する第２決定手段と、前記第１および第２決定手段による決定に基づき、記録ヘッドによって前記所定領域にドットを記録させる記録制御手段と、を具えたことを特徴とする。
【手続補正２】
【補正対象書類名】特許請求の範囲
【補正対象項目名】全文
【補正方法】変更
【補正の内容】
【特許請求の範囲】
【請求項１】
複数の記録ヘッドを有した記録ヘッドユニットであって、前記複数の記録ヘッドそれぞれには、列方向に配列した、記録媒体上にインクによる第１のサイズのドットを形成するための第１のノズルによって形成される第１のノズル列と、前記列方向に配列した、記録媒体上にインクによる第２のサイズのドットを形成するための第２のノズルによって形成される第２のノズル列と、が設けられ、前記第２のサイズは前記第１のサイズとは異なり、かつ前記第２のサイズのドットの色は前記第１のサイズのドットの色と同じであり、それぞれの複数の前記第１および第２のノズル列は前記列方向に交差する方向に配列し、異なる前記記録ヘッドは前記列方向にずれるように配列して、当該異なる記録ヘッドの前記複数の第１および第２のノズル列のそれぞれの一部が記録媒体の重複記録領域をそれぞれ記録する、記録ヘッドユニットと、
前記重複記録領域の１つにおける所定領域の、記録ヘッドに設けられた前記第１のノズル列の１つによるドット記録によって形成されるべき画素を決定し、および前記所定領域の、同じ記録ヘッドに設けられた前記第２のノズル列の１つによるドット記録によって形成されるべき他の画素を決定する第１決定手段と、
前記重複記録領域を有する第１および第２の記録ヘッドそれぞれの前記第１および第２のノズル列のそれぞれの一部によって前記所定領域を記録するため、前記第１の記録ヘッドの前記第１および第２のノズル列の第１の組みによるドット記録によって形成されるべき画素を決定し、および前記第２の記録ヘッドの前記第１および第２のノズル列の第２の組みによるドット記録によって形成されるべき画素を決定する第２決定手段と、
前記第１および第２決定手段による決定に基づき、記録ヘッドによって前記所定領域にドットを記録させる記録制御手段と、
を具えたことを特徴とするインクジェット記録装置。
【請求項２】
前記第１決定手段は、前記所定領域の複数の画素ごとに、前記第１のノズルまたは前記第２のノズルによって記録すべきかを規定する分配パターンを用いて、記録データを、前記第１のノズルおよび前記第２のノズルの記録データに分配することによって、前記第１のノズルの１つによるドット記録によって形成すべき画素、および前記第２のノズルの１つによるドット記録によって形成すべき他の画素を決定することを特徴とする請求項１に記載のインクジェット記録装置。
【請求項３】
前記第２決定手段は、前記所定領域の複数の画素ごとに、記録を許容するか否かを定めたマスクパターンを用い、前記第１の組みによるドット記録によって形成すべき画素、および前記第２の組みによるドット記録によって形成すべき他の画素を決定することを特徴とする請求項１に記載のインクジェット記録装置。
【請求項４】
前記第２決定手段は、前記重複記録領域における前記所定領域の複数の画素ごとに、記録を許容するか否かを定めたマスクパターンを用い、前記第１の組みによるドット記録によって形成すべき画素、および前記第２の組みによるドット記録によって形成すべき他の画素を決定することを特徴とする請求項１に記載のインクジェット記録装置。
【請求項５】
前記第２決定手段は、前記第１および第２のノズル列の前記第１の組みによって形成する画素、および前記第１および第２のノズル列の前記第２の組みによって形成する画素を排他的に決定することを特徴とする請求項１に記載のインクジェット記録装置。
【請求項６】
複数の記録ヘッドを有した記録ヘッドユニットであって、前記複数の記録ヘッドそれぞれには、列方向に配列した、記録媒体上にインクによる第１のサイズのドットを形成するための第１のノズルによって形成される第１のノズル列と、前記列方向に配列した、記録媒体上にインクによる第２のサイズのドットを形成するための第２のノズルによって形成される第２のノズル列と、が設けられ、前記第２のサイズは前記第１のサイズとは異なり、かつ前記第２のサイズのドットの色は前記第１のサイズのドットの色と同じであり、それぞれの複数の前記第１および第２のノズル列は前記列方向に交差する方向配列し、異なる前記記録ヘッドは前記列方向にずれるように配列して、当該異なる記録ヘッドの前記複数の第１および第２のノズル列のそれぞれの一部が記録媒体の重複記録領域をそれぞれ記録する、記録ヘッドユニット、を用いることによって記録を行うために用いられる記録データを生成する記録データ生成方法であって、
前記重複記録領域の１つにおける所定領域の、記録ヘッドに設けられた前記第１のノズル列の１つによるドット記録によって形成されるべき画素を決定し、および前記所定領域の、同じ記録ヘッドに設けられた前記第２のノズル列の１つによるドット記録によって形成されるべき他の画素を決定する第１決定工程と、
前記重複記録領域を有する第１および第２の記録ヘッドそれぞれの前記第１および第２のノズル列のそれぞれの一部によって前記所定領域を記録するため、前記第１の記録ヘッドの前記第１および第２のノズル列の第１の組みによるドット記録によって形成されるべき画素を決定し、および前記第２の記録ヘッドの前記第１および第２のノズル列の第２の組みによるドット記録によって形成されるべき画素を決定する第２決定工程と、
前記第１および第２決定工程による決定に基づき、記録ヘッドによって前記所定領域にドットを記録させる記録制御工程と、
を有したことを特徴とする記録データ生成方法。
【請求項７】
前記第１決定工程は、前記所定領域の複数の画素ごとに、前記第１のノズルまたは前記第２のノズルによって記録すべきかを規定する分配パターンを用いて、記録データを、前記第１のノズルおよび前記第２のノズルの記録データに分配することによって、前記第１のノズルの１つによるドット記録によって形成すべき画素、および前記第２のノズルの１つによるドット記録によって形成すべき他の画素を決定することを特徴とする請求項６に記載の記録データ生成方法。
【請求項８】
前記第２決定工程は、前記所定領域の複数の画素ごとに、記録を許容するか否かを定めたマスクパターンを用い、前記第１の組みによるドット記録によって形成すべき画素、および前記第２の組みによるドット記録によって形成すべき他の画素を決定することを特徴とする請求項６に記載の記録データ生成方法。
【請求項９】
前記第２決定工程は、前記重複記録領域における前記所定領域の複数の画素ごとに、記録を許容するか否かを定めたマスクパターンを用い、前記第１の組みによるドット記録によって形成すべき画素、および前記第２の組みによるドット記録によって形成すべき他の画素を決定することを特徴とする請求項６に記載の記録データ生成方法。
【請求項１０】
前記第２決定工程は、前記第１および第２のノズル列の前記第１の組みによって形成する画素、および前記第１および第２のノズル列の前記第２の組みによって形成する画素を排他的に決定することを特徴とする請求項６に記載の記録データ生成方法。